(57)【要約】【課題】車両に搭載されるセンサに関する情報をまとめて知らせる技術を提供する。【解決手段】監視部７２は、車両に搭載可能なセンサの動作／非動作を監視する。出力部７６は、監視部７２において監視している動作／非動作の情報を出力する。監視部７２は、センサが動作している場合に入力したセンサの検出精度をもとに、センサの機能不全を検出する。生成部７４は、監視部７２がセンサの機能不全を検出した場合に、動作／非動作の情報にあわせて、機能不全の情報も出力する。【選択図】図３
2017178267.tif 000002
【特許請求の範囲】
【請求項１】
車両に搭載可能なセンサの動作／非動作を監視する監視部と、
前記監視部において監視している動作／非動作の情報を出力する出力部とを備え、
前記監視部は、センサが動作している場合に入力したセンサの検出精度をもとに、センサの機能不全を検出し、
前記出力部は、前記監視部がセンサの機能不全を検出した場合に、動作／非動作の情報にあわせて、機能不全の情報も出力することを特徴とする運転支援装置。
【請求項２】
センサの検出結果を入力する入力部をさらに備え、
前記出力部は、前記入力部において入力した検出結果に応じた検出／非検出の情報も、動作／非動作の情報にあわせて出力することを特徴とする請求項１に記載の運転支援装置。
【請求項３】
前記出力部は、センサが検出可能な範囲に対応づけながら情報を出力し、
前記監視部は、車両の走行状態も入力し、
前記出力部は、前記車両の走行状態に応じて検出可能な範囲を変更して出力することを特徴とする請求項１または２に記載の運転支援装置。
【請求項４】
前記出力部は、車両が自動運転しているか、手動運転しているかに応じて出力の態様を変更することを特徴とする請求項１から３のいずれかに記載の運転支援装置。
【請求項５】
車両に搭載可能なセンサの動作／非動作を監視する監視部と、
前記監視部において監視している動作／非動作の情報を出力する出力部と、
センサの検出結果をもとに、車両の自動運転を制御する自動運転制御部とを備え、
前記監視部は、センサが動作している場合に入力したセンサの検出精度をもとに、センサの機能不全を検出し、
前記出力部は、前記監視部がセンサの機能不全を検出した場合に、動作／非動作の情報にあわせて、機能不全の情報も出力することを特徴とする自動運転制御装置。
【請求項６】
運転支援装置を備える車両であって、
前記運転支援装置は、
車両に搭載可能なセンサの動作／非動作を監視する監視部と、
前記監視部において監視している動作／非動作の情報を出力する出力部とを備え、
前記監視部は、センサが動作している場合に入力したセンサの検出精度をもとに、センサの機能不全を検出し、
前記出力部は、前記監視部がセンサの機能不全を検出した場合に、動作／非動作の情報にあわせて、機能不全の情報も出力することを特徴とする車両。
【請求項７】
車両に搭載可能なセンサの動作／非動作を監視するステップと、
監視している動作／非動作の情報を出力するステップと、
センサが動作している場合に入力したセンサの検出精度をもとに、センサの機能不全を検出するステップと、
センサの機能不全を検出した場合に、動作／非動作の情報にあわせて、機能不全の情報も出力するステップと、
を備えることを特徴とする運転支援方法。
【請求項８】
車両に搭載可能なセンサの動作／非動作を監視するステップと、
監視している動作／非動作の情報を出力するステップと、
センサが動作している場合に入力したセンサの検出精度をもとに、センサの機能不全を検出するステップと、
センサの機能不全を検出した場合に、動作／非動作の情報にあわせて、機能不全の情報も出力するステップとをコンピュータに実行させるためのプログラム。
【発明の詳細な説明】
【技術分野】
【０００１】
本発明は、車両、車両に設けられる運転支援方法およびそれを利用した運転支援装置、自動運転制御装置、プログラムに関する。
【背景技術】
【０００２】
ＡＤＡＳ（Ａｄｖａｎｃｅｄ  Ｄｒｉｖｅｒ  Ａｓｓｉｓｔａｎｃｅ  Ｓｙｓｔｅｍ；先進運転支援システム）や自動運転システムは、システム自体の故障を運転者に知らせる機能を有する。例えば、後側方障害物警報システムは、車両の後側方領域に障害物が存在するときに、障害物の存在する方向に車線変更をしようとすると、後側方に障害物が存在することを知らせる。後側方障害物警報システムでは、障害物の存在を通知するための表示部がドアミラーに設けられ、故障報知部がインストルメントパネルに設けられているので、後側方障害物警報システムが故障しているか否かを確実に把握することが困難である。そのため、故障報知部がドアミラーに設けられる（例えば、特許文献１参照）。
【先行技術文献】
【特許文献】
【０００３】
【特許文献１】特開２００７−１４３６号公報
【発明の概要】
【発明が解決しようとする課題】
【０００４】
自動運転を実行可能な車両には、一般的に複数のセンサが搭載されており、複数のセンサでの検出結果をもとに、障害物の存在を検出する。また、障害物の存在を運転者に知らせるために、障害物が存在する方向等はディスプレイに表示される。このような場合でも、センサが動作しているか、あるいは非動作であるかを運転者に知らせるべきである。さらに、センサによる検出精度が低いことや、故障ではないが性能限界を超え機能不全であること、車両の走行状態もあわせて運転者に知らされるべきである。
【０００５】
本発明はこうした状況に鑑みなされたものであり、その目的は、車両に搭載されるセンサに関する情報をまとめて知らせる技術を提供することにある。
【課題を解決するための手段】
【０００６】
上記課題を解決するために、本発明のある態様の運転支援装置は、車両に搭載可能なセンサの動作／非動作（正常の場合や故障の場合）を監視する監視部と、監視部において監視している動作／非動作の情報を出力する出力部とを備える。監視部は、センサが動作している場合に入力したセンサの検出精度をもとに、センサの機能不全を検出し、出力部は、監視部がセンサの機能不全を検出した場合に、動作／非動作の情報にあわせて、機能不全の情報も出力する。
【０００７】
本発明の別の態様は、自動運転制御装置である。この装置は、車両に搭載可能なセンサの動作／非動作（正常な場合や故障の場合）を監視する監視部と、監視部において監視している動作／非動作の情報を出力する出力部と、センサの検出結果をもとに、車両の自動運転を制御する自動運転制御部とを備える。監視部は、センサが動作している場合に入力したセンサの検出精度をもとに、センサの機能不全を検出し、出力部は、監視部がセンサの機能不全を検出した場合に、動作／非動作の情報にあわせて、機能不全の情報も出力する。
【０００８】
本発明のさらに別の態様は、車両である。この車両は、運転支援装置を備える車両であって、運転支援装置は、車両に搭載可能なセンサの動作／非動作（正常な場合や故障の場合）を監視する監視部と、監視部において監視している動作／非動作の情報を出力する出力部とを備える。監視部は、センサが動作している場合に入力したセンサの検出精度をもとに、センサの機能不全を検出し、出力部は、監視部がセンサの機能不全を検出した場合に、動作／非動作の情報にあわせて、機能不全の情報も出力する。
【０００９】
本発明のさらに別の態様は、運転支援方法である。この方法は、車両に搭載可能なセンサの動作／非動作（正常な場合や故障の場合）を監視するステップと、監視している動作／非動作の情報を出力するステップと、センサが動作している場合に入力したセンサの検出精度をもとに、センサの機能不全を検出するステップと、センサの機能不全を検出した場合に、動作／非動作の情報にあわせて、機能不全の情報も出力するステップと、を備える。
【００１０】
なお、以上の構成要素の任意の組合せ、本発明の表現を装置、システム、方法、プログラム、プログラムを記録した記録媒体、本装置を搭載した車両などの間で変換したものもまた、本発明の態様として有効である。
【発明の効果】
【００１１】
本発明によれば、車両に搭載されるセンサに関する情報をまとめて知らせることができる。
【図面の簡単な説明】
【００１２】
【図１】実施の形態に係る車両の構成を示す図である。
【図２】図１の車両の室内を模式的に示す図である。
【図３】図１の制御部の構成を示す図である。
【図４】図１のセンサによって検出される障害物の方向を示す図である。
【図５】図５（ａ）−（ｆ）は、図３の生成部において生成される画像を示す図である。
【図６】図６（ａ）−（ｂ）は、図３の生成部において生成される別の画像を示す図である。
【図７】図７（ａ）−（ｂ）は、図３の生成部において生成されるさらに別の画像を示す図である。
【図８】図３の制御部による出力手順を示すフローチャートである。
【発明を実施するための形態】
【００１３】
本発明を具体的に説明する前に、概要を述べる。本実施の形態は、自動車の自動運転等に使用されるセンサに関する情報の通知に関する。特に、本実施の形態は、車両の運転行動に関する情報を車両の乗員（例えば運転者）との間でやり取りするためのＨＭＩ（Ｈｕｍａｎ  Ｍａｃｈｉｎｅ  Ｉｎｔｅｒｆａｃｅ）を制御する装置（以下「運転支援装置」とも呼ぶ。）に関する。「運転行動」は、車両の走行中または停止時の操舵や制動などの作動状態、もしくは自動運転制御に係る制御内容を含んでおり、例えば、定速走行、加速、減速、一時停止、停止、車線変更、進路変更、右左折、駐車などである。また、運転行動は、巡航（車線維持で車速維持）、車線維持、先行車追従、追従時のストップアンドゴー、車線変更、追越、合流車両への対応、高速道への進入と退出を含めた乗換（インターチェンジ）、合流、工事ゾーンへの対応、緊急車両への対応、割込み車両への対応、右左折専用レーンへの対応、歩行者・自転車とのインタラクション、車両以外の障害物回避、標識への対応、右左折・Ｕターン制約への対応、車線制約への対応、一方通行への対応、交通標識への対応、交差点・ランドアバウトへの対応などであってもよい。
【００１４】
車両が自動運転を実行する場合、センサでの検出結果をもとに障害物の存在が検出され、障害物を回避するように運転行動が決定される。また、車両は、決定した運転行動にしたがって自動走行する。その際、検出した障害物に関する情報等がディスプレイに表示されることによって、障害物の存在が、自動走行の中で運転行動が決定された根拠情報として、運転者に知らされる。一方、車両が手動運転を実行する場合、センサでの検出結果をもとに障害物の存在が検出され、検出した障害物に関する情報等がディスプレイに表示されることによって、運転者自身の運転操作によって障害物を回避できるように運転者に知らせる。さらにセンサに関して、動作／非動作の情報、機能不全の情報、車両の走行状態に応じた検出範囲の情報も、運転者にあわせて知らせることが好ましい。これらの情報による注意喚起を運転者に促すためには、障害物に関する情報とともにディスプレイに表示されることが好ましい。
【００１５】
以下、本発明の実施の形態について、図面を参照して詳細に説明する。なお、以下に説明する各実施の形態は一例であり、本発明はこれらの実施の形態により限定されるものではない。
【００１６】
図１は、実施の形態に係る車両１００の構成を示し、特に自動運転車両に関する構成を示す。車両１００は、自動運転モードで走行可能であり、報知装置２、入力装置４、無線装置８、運転操作部１０、検出部２０、自動運転制御装置３０、運転支援装置４０を含む。図１に示す各装置の間は、専用線あるいはＣＡＮ（Ｃｏｎｔｒｏｌｌｅｒ  Ａｒｅａ  Ｎｅｔｗｏｒｋ）等の有線通信で接続されてもよい。また、ＵＳＢ（Ｕｎｉｖｅｒｓａｌ  Ｓｅｒｉａｌ  Ｂｕｓ）、Ｅｔｈｅｒｎｅｔ（登録商標）、Ｗｉ−Ｆｉ（登録商標）、Ｂｌｕｅｔｏｏｔｈ（登録商標）等の有線通信または無線通信で接続されてもよい。
【００１７】
報知装置２は、車両１００の走行に関する情報を運転者に報知する。報知装置２は、例えば、車内に設置されているカーナビゲーションシステム、ヘッドアップディスプレイ、センターディスプレイ、ステアリングホイール、ピラー、ダッシュボード、メータパネル周りなどに設置されているＬＥＤなどの発光体などのような情報を表示する表示部である。また、報知装置２は、情報を音声に変換して運転者に報知するスピーカであってもよいし、あるいは、運転者が感知できる位置（例えば、運転者の座席、ステアリングホイールなど）に設けられる振動体であってもよい。さらに、報知装置２は、これらの組合せであってもよい。入力装置４は、乗員による操作入力を受けつけるユーザインタフェース装置である。例えば入力装置４は、タッチパネル、レバー、ボタン、スイッチ、ジョイスティックやボリューム等のコントローラ、非接触でジェスチャーを認識するカメラ等のセンサ、音声を認識するマイク等のセンサや、それらの組合せであり、運転者が入力した自車の自動運転に関する情報を受けつける。また、自動運転と手動運転を切りかえるための操作信号を受け付けてもよい。入力装置４は、受けつけた情報を操作信号として運転支援装置４０に出力する。
【００１８】
図２は、車両１００の室内を模式的に示す。報知装置２は、ヘッドアップディスプレイ（ＨＵＤ）２ａであってもよく、センターディスプレイ２ｂであってもよい。入力装置４は、ステアリング１１に設けられた第１操作部４ａであってもよく、運転席と助手席との間に設けられた第２操作部４ｂであってもよい。なお、報知装置２と入力装置４は一体化されてもよく、例えばタッチパネルディスプレイとして実装されてもよい。車両１００には、自動運転に関する情報を音声にて乗員へ提示するスピーカ６がさらに設けられてもよい。この場合、運転支援装置４０は、自動運転に関する情報を示す画像を報知装置２に表示させ、それとともに、またはそれに代えて、自動運転に関する情報を示す音声をスピーカ６から出力させてもよい。図１に戻る。
【００１９】
無線装置８は、携帯電話通信システム、ＷＭＡＮ（Ｗｉｒｅｌｅｓｓ  Ｍｅｔｒｏｐｏｌｉｔａｎ  Ａｒｅａ  Ｎｅｔｗｏｒｋ）等に対応しており、データサーバやインフラや他車や歩行者などと無線通信を実行する。運転操作部１０は、ステアリング１１、ブレーキペダル１２、アクセルペダル１３、ウィンカスイッチ１４を備える。ステアリング１１、ブレーキペダル１２、アクセルペダル１３、ウィンカスイッチ１４は、ステアリングＥＣＵ、ブレーキＥＣＵ、エンジンＥＣＵとモータＥＣＵおよびウィンカコントローラにより電子制御が可能である。自動運転モードにおいて、ステアリングＥＣＵ、ブレーキＥＣＵ、エンジンＥＣＵ、モータＥＣＵは、自動運転制御装置３０から供給される制御信号に応じて、アクチュエータを駆動する。またウィンカコントローラは、自動運転制御装置３０から供給される制御信号に応じてウィンカランプを点灯あるいは消灯する。
【００２０】
検出部２０は、車両１００の周囲状況および走行状態を検出する。検出部２０は、例えば、車両１００の速度、車両１００に対する先行車両の相対速度、車両１００と先行車両との距離、車両１００に対する側方車線の車両の相対速度、車両１００と側方車線の車両との距離、車両１００の位置情報を検出する。検出部２０は、検出した各種情報（以下、「検出情報」という）を自動運転制御装置３０に出力する。また、自動運転制御装置３０を介して運転支援装置４０に出力してもよいし、直接運転支援装置４０に出力してもよい。検出部２０は、位置情報取得部２１、センサ２２、速度情報取得部２３、地図情報取得部２４を含む。
【００２１】
位置情報取得部２１は、ＧＰＳ受信機から車両１００の現在位置を取得する。センサ２２は、車外の状況および車両１００の状態を検出するための各種センサの総称である。車外の状況を検出するためのセンサとして例えばカメラ、ミリ波レーダ、ＬＩＤＡＲ（Ｌｉｇｈｔ  Ｄｅｔｅｃｔｉｏｎ  ａｎｄ  Ｒａｎｇｉｎｇ、Ｌａｓｅｒ  Ｉｍａｇｉｎｇ  Ｄｅｔｅｃｔｉｏｎ  ａｎｄ  Ｒａｎｇｉｎｇ）、ソナー、気温センサ、気圧センサ、湿度センサ、照度センサ等が搭載される。車外の状況は、車線情報を含む自車の走行する道路状況、天候を含む環境、自車周辺状況、近傍位置にある他車（隣接車線を走行する他車等）を含む。なお、センサ２２が検出できる車外の情報であれば何でもよい。また車両１００の状態を検出するためのセンサ２２として例えば、加速度センサ、ジャイロセンサ、地磁気センサ、傾斜センサ等が搭載される。
【００２２】
速度情報取得部２３は、車速センサから車両１００の現在速度を取得する。地図情報取得部２４は、地図データベースから車両１００の現在位置周辺の地図情報を取得する。地図データベースは、車両１００内の記録媒体に記録されていてもよいし、使用時にネットワークを介して地図サーバからダウンロードしてもよい。
【００２３】
自動運転制御装置３０は、自動運転制御機能を実装した自動運転コントローラであり、自動運転における車両１００の行動を決定する。自動運転制御装置３０は、制御部３１、記憶部３２、Ｉ／Ｏ部３３を備える。制御部３１の構成はハードウェア資源とソフトウェア資源の協働、またはハードウェア資源のみにより実現できる。ハードウェア資源としてプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、その他のＬＳＩを利用でき、ソフトウェア資源としてオペレーティングシステム、アプリケーション、ファームウェア等のプログラムを利用できる。記憶部３２は、フラッシュメモリ等の不揮発性記録媒体を備える。Ｉ／Ｏ部３３は、各種の通信フォーマットに応じた通信制御を実行する。例えば、Ｉ／Ｏ部３３は、自動運転に関する情報を運転支援装置４０に出力するとともに、制御コマンドを運転支援装置４０から入力する。また、Ｉ／Ｏ部３３は、検出情報を検出部２０から入力する。
【００２４】
制御部３１は、運転支援装置４０から入力した制御コマンド、検出部２０あるいは各種ＥＣＵから収集した各種情報を自動運転アルゴリズムに適用して、車両１００のアクセルスロットル開度、ステアリング舵角等の自動制御対象を制御するための制御値を算出する。制御部３１は算出した制御値を、各制御対象のＥＣＵまたはコントローラに伝達する。本実施の形態ではステアリングＥＣＵ、ブレーキＥＣＵ、エンジンＥＣＵ、ウィンカコントローラに伝達する。なお電気自動車あるいはハイブリッドカーの場合、エンジンＥＣＵに代えてまたは加えてモータＥＣＵに制御値を伝達する。
【００２５】
運転支援装置４０は、車両１００と運転者との間のインタフェース機能を実行するＨＭＩコントローラであり、制御部４１、記憶部４２、Ｉ／Ｏ部４３を備える。制御部４１は、ＨＭＩ制御等の各種データ処理を実行する。制御部４１は、ハードウェア資源とソフトウェア資源の協働、またはハードウェア資源のみにより実現できる。ハードウェア資源としてプロセッサ、ＲＯＭ、ＲＡＭ、その他のＬＳＩを利用でき、ソフトウェア資源としてオペレーティングシステム、アプリケーション、ファームウェア等のプログラムを利用できる。
【００２６】
記憶部４２は、制御部４１により参照され、または更新されるデータを記憶する記憶領域である。例えばフラッシュメモリ等の不揮発の記録媒体により実現される。Ｉ／Ｏ部４３は、各種の通信フォーマットに応じた各種の通信制御を実行する。Ｉ／Ｏ部４３は、操作入力部５０、画像・音声出力部５１、検出情報入力部５２、コマンドＩＦ５３、通信ＩＦ５６を備える。
【００２７】
操作入力部５０は、入力装置４に対してなされた運転者あるいは乗員もしくは車外にいるユーザの操作による操作信号を入力装置４から受信し、制御部４１へ出力する。画像・音声出力部５１は、制御部４１が生成した画像データあるいは音声メッセージを報知装置２へ出力して表示させる。検出情報入力部５２は、検出部２０による検出処理の結果であり、車両１００の現在の周囲状況および走行状態を示す情報（以下、「検出情報」と呼ぶ）を検出部２０から受信し、制御部４１へ出力する。
【００２８】
コマンドＩＦ５３は、自動運転制御装置３０とのインタフェース処理を実行し、行動情報入力部５４とコマンド出力部５５を含む。行動情報入力部５４は、自動運転制御装置３０から送信された車両１００の自動運転に関する情報を受信し、制御部４１へ出力する。コマンド出力部５５は、自動運転制御装置３０に対して自動運転の態様を指示する制御コマンドを、制御部４１から受けつけて自動運転制御装置３０へ送信する。
【００２９】
通信ＩＦ５６は、無線装置８とのインタフェース処理を実行する。通信ＩＦ５６は、制御部４１から出力されたデータを無線装置８へ送信し、無線装置８から車外の装置へ送信させる。また、通信ＩＦ５６は、無線装置８により転送された、車外の装置からのデータを受信し、制御部４１へ出力する。
【００３０】
なお、ここでは、自動運転制御装置３０と運転支援装置４０は別個の装置として構成される。変形例として、図１の破線で示すように、自動運転制御装置３０と運転支援装置４０を１つのコントローラに統合してもよい。言い換えれば、１つの自動運転制御装置が、図１の自動運転制御装置３０と運転支援装置４０の両方の機能を備える構成であってもよい。
【００３１】
図３は、制御部４１の構成を示す。制御部４１は、入力部７０、監視部７２、生成部７４、出力部７６を含む。監視部７２は、図１のＩ／Ｏ部４３を介してセンサ２２に接続され、センサ２２の動作／非動作を監視する。例えば、監視部７２は、センサ２２の電源がオンになっているか、あるいはオフになっているかを確認し、オンの場合に動作と判定し、オフの場合に非動作（正常の場合）と判定する。また、監視部７２は、センサ２２の電源がオンになっているにも関わらず、所望の出力が得られていない場合に非動作（故障の場合）と判定する。なお、センサ２２の電源がオンになっているか、あるいはオフになっているかの確認には公知の技術が使用されればよい。前述のごとく、センサ２２は、車外の状況を検出するための各種センサの総称である。そのため、車両１００の周囲の状況を検出可能なように、複数のセンサ２２が車両１００の前後左右に搭載される。監視部７２は、複数のセンサ２２のそれぞれに対して動作／非動作を監視する。監視部７２は、センサ２２ごとの動作／非動作を生成部７４に出力する。
【００３２】
入力部７０は、Ｉ／Ｏ部４３を介してセンサ２２に接続され、センサ２２が動作している場合に当該センサ２２からの検出結果を入力する。センサ２２からの検出結果は、障害物が検出された場合に、障害物の方向等を示す。ここでは、障害物の方向と距離を説明するために図４を使用する。図４は、センサ２２によって検出される障害物の方向を示す。例えば、車両１００を中心にして、前方が「０°」となり、かつ時計回りに角度θが増加するような座標系が定義される。このような座標系において、障害物２２０は、角度「θ１」の方向、「ｒ１」の距離に存在すると検出される。なお、複数のセンサ２２に対して共通の座標系が定義される。そのため、複数のセンサ２２のそれぞれから検出結果を入力した場合、各障害物２２０の方向等は、入力部７０において共通の座標系上に合成される。
【００３３】
入力部７０は、センサ２２からの検出結果を入力する場合、センサ２２における検出結果に対する検出精度も入力する。検出精度は、検出した障害物２２０の確からしさを示す値であり、例えば、検出結果が正確になるほど大きくなる。なお、検出精度は、センサ２２の種類によって異なる値である。入力部７０は、障害物２２０の方向と距離を生成部７４に出力するとともに、検出精度を監視部７２に出力する。
【００３４】
監視部７２は、入力部７０から検出精度を入力する。監視部７２は、検出精度をもとに、センサ２２における障害物に対する機能不全を検出する。例えば、監視部７２は、センサ２２の種類ごとにしきい値を記憶しており、入力した検出精度を導出したセンサ２２に対応したしきい値を選択する。また、監視部７２は、検出精度としきい値とを比較し、検出精度がしきい値よりも小さければ、機能不全を検出する。監視部７２は、機能不全を検出した場合、機能不全の検出を生成部７４に通知する。
【００３５】
また、監視部７２は、車両１００の走行状態として、Ｉ／Ｏ部４３を介して速度情報取得部２３からの現在速度を入力する。監視部７２は、現在速度に対するしきい値を前述のしきい値とは別に記憶しており、しきい値と現在速度とを比較する。監視部７２は、現在速度がしきい値以下であれば、通常走行状態と判定する。一方、監視部７２は、現在速度がしきい値よりも大きい場合、高速走行状態と判定する。なお、監視部７２は、位置情報取得部２１において取得した現在位置と、地図情報取得部２４において取得した地図情報とをもとに、走行中の道路の種別を特定し、一般道路であれば通常走行状態と判定し、高速道路であれば高速走行状態と判定してもよい。監視部７２は、判定結果を生成部７４に出力する。さらに、監視部７２は、Ｉ／Ｏ部４３を介して自動運転制御装置３０から、車両１００が自動運転しているか、手動運転しているかの情報を入力し、これも生成部７４に出力する。
【００３６】
生成部７４は、入力部７０から障害物２２０の方向と距離を入力し、監視部７２から、センサ２２ごとの動作／非動作、機能不全の状態、車両１００の通常走行状態／高速走行状態、車両１００の自動運転／手動運転の運転状態を入力する。生成部７４は、入力した障害物２２０の方向をもとに、当該障害物２２０が含まれるエリアを特定する。この処理を説明するために、図４を再び使用する。図示のごとく、車両１００の前方に対して、第１エリア２００が設けられ、第１エリア２００から時計回りに、第２エリア２０２、・・・、第８エリア２１４が順に設けられる。特に、車両１００の右側方に２０４が設けられ、車両１００の後方に第５エリア２０８が設けられ、車両１００の左側方に第７エリア２１２が設けられる。ここでは、車両１００の周囲を「８」つに分割することによって、「８」つのエリアが規定されているが、エリアの数は「８」に限定されない。生成部７４は、入力した障害物２２０の角度「θ１」から、当該障害物２２０が含まれる第８エリア２１４を「検出エリア」として特定する。なお、複数の障害物２２０の方向を入力した場合、生成部７４は、複数の検出エリアを特定してもよい。また、生成部７４は、車両１００からの距離を「３」段階にわけて、「８」つのエリアを「２４」のエリアに細分化してもよい。生成部７４は、入力した障害物２２０の距離をもとに、当該障害物２２０が含まれるエリアを特定してもよい。距離の段階は「３」に限定されない。
【００３７】
また、生成部７４は、入力したセンサ２２ごとの動作／非動作において、非動作のセンサ２２が存在する場合、当該センサ２２の検出範囲に対応したエリアを「非動作エリア」として特定する。なお、センサ２２の検出範囲に対応したエリアに関する情報はセンサ２２ごとに予め生成部７４に記憶される。例えば、車両１００の後方を検出範囲とするセンサ２２が非動作である場合、生成部７４は、第５エリア２０８を非動作エリアとして特定する。さらに、生成部７４は、機能不全の検出を入力した場合、当該機能不全の検出に対応したエリアを「機能不全エリア」として特定する。機能不全エリアは、検出エリアと重複するが、機能不全エリアが優先される。さらに、生成部７４は、入力したセンサ２２ごとの動作／非動作において、非動作のセンサ２２が存在し、他の動作するセンサ２２の検出範囲が重なるエリアを、「低検出精度エリア」、他の動作するセンサ２２の検出範囲が重ならないエリアを「非動作エリア」として特定してもよい。
【００３８】
生成部７４は、通常走行状態を入力すれば、エリアを特定しないが、高速走行状態を入力すれば、高速走行状態において使用しないセンサ２２の検出範囲に対応したエリアを「非通知エリア」として特定する。例えば、高速道路だと一方通行のため、市街地ほど真横から突進される可能性が低い。かつ側方向のセンサが機能しているため、真横のセンサが使用されない可能性が高い。あるいは、真横のセンサが機能されているとしても、真横センサに関する情報より、重要な前後方向や側方向のセンサに関する情報を優先して運転者に通知したほうがより効果的である。ここでは、車両１００の右側方および左側方のエリアである第３エリア２０４、第７エリア２１２が非通知エリアとして特定される。このように、生成部７４は、車両１００の走行状態に応じて検出可能な範囲を変更する。また、生成部７４は、自動運転状態を入力した場合、第１色、例えば青を選択し、手動運転状態を入力した場合、第２色、例えば橙を選択する。ここで、第１色と第２色とは互いに異なった色として多くの人に認識されるようユニバーサルデザインに則っていることが望ましいが、それらの色は上記に限定されない。
【００３９】
生成部７４は、これらの処理に対応した画像データを生成する。図５（ａ）−（ｆ）は、生成部７４において生成される画像を示す。図５（ａ）−（ｃ）は、非動作のセンサ２２がなく、障害物２２０が検出されず、機能不全が検出されず、通常走行状態であり、自動運転である場合の画像を示す。車両アイコン１１０が図４の車両１００に対応する。また、第１エリア３００から第８エリア３１４は、図４の第１エリア２００から第８エリア２１４に対応しており、それぞれは３つの丸形のマーカを含む。センサ２２が動作している場合、図５（ａ）−（ｃ）の順にマーカが点滅する。つまり、車両アイコン１１０の近くから遠くへ、１つのマーカが切りかえられながら点灯する。点灯している１つのマーカ以外の２つのマーカは消灯する。また、図５（ｃ）の次は図５（ａ）に戻る。ここでは、非動作のセンサ２２がなく、障害物２２０が検出されず、機能不全が検出されず、通常走行状態であるので、第１エリア３００から第８エリア３１４が同様に表示される。つまり、マーカの点滅によって、センサ２２の動作が通知される。このような第１エリア３００から第８エリア３１４は「非検出エリア」に相当する。また、画像の背景は、第１色で表示される。
【００４０】
図５（ｄ）−（ｆ）は、非動作のセンサ２２がなく、障害物２２０が検出され、機能不全が検出されず、通常走行状態であり、自動運転である場合の画像を示す。つまり、障害物２２０が検出されている点が図５（ａ）−（ｃ）の場合と異なっており、ここでは、一例として、第８エリア２１４において障害物２２０が検出されている。ここでも、図５（ａ）−（ｃ）の場合と同様に、図５（ｄ）−（ｆ）の順にマーカが点滅し、図５（ｆ）の次は図５（ｄ）に戻る。しかしながら、障害物２２０が検出されている第８エリア３１４のマーカの点灯色が、他のエリアのマーカの点灯色と異なる。つまり、マーカの点灯色によって、障害物２２０の存在／非存在が通知される。ここで、第８エリア３１４は「検出エリア」に相当し、第１エリア３００から第７エリア３１２は「非検出エリア」に相当する。
【００４１】
図６（ａ）−（ｂ）は、生成部７４において生成される別の画像を示す。図６（ａ）は、非動作のセンサ２２があり、障害物２２０が検出されず、機能不全が検出されず、通常走行状態であり、自動運転である場合の画像を示す。つまり、非動作のセンサ２２がある点が図５（ａ）−（ｃ）の場合と異なっており、ここでは、一例として、第８エリア２１４に対応したセンサ２２が非動作である。また、ここでも、図５（ａ）−（ｃ）と同様に、動作しているセンサ２２に対してマーカが切りかえられながら点滅するが、説明を簡易にするために、図面においてそのような動作の説明は省略する。動作しているセンサ２２に対応した第１エリア３００から第７エリア３１２では、図５（ａ）−（ｃ）と同様にマーカが点滅する。一方、非動作のセンサ２２に対応した第８エリア３１４には、３つのマーカが表示されない。そのため、これらの３つのマーカは点滅もしない。つまり、マーカの非表示によって、センサ２２の非動作が通知される。ここで、第８エリア３１４は「非動作エリア」に相当し、第１エリア３００から第７エリア３１２は「非検出エリア」に相当する。
【００４２】
機能不全が検出された場合も、非動作のセンサ２２がある場合と同様に、表示される。例えば、図５（ｄ）−（ｆ）において、第８エリア３１４において障害物２２０が検出されるが、機能不全が検出された場合、図６（ａ）のごとく第８エリア３１４に３つのマーカが表示されない。そのため、これらの３つのマーカは点滅もしない。つまり、マーカの非表示によって、センサ２２の非動作が通知される。ここで、第８エリア３１４は「機能不全エリア」に相当し、第１エリア３００から第７エリア３１２は「非検出エリア」に相当する。また、「非動作エリア」と「機能不全エリア」の表示態様を変えてもよい。これにより、運転者は、「非動作エリア」であり、故障が要因の場合はすぐ停車して他に問題がないか確認したり修理する必要があることを認識することができ、「機能不全エリア」の場合は、今この場は運転者自身が「機能不全エリア」に注意して運転を続行したり、適切な場所へ移動して停車し、機能不全の原因、例えば、カメラに付着した泥、を除去することにより、機能不全から復帰させることができ、それぞれ適切な行動を支援することができる。
【００４３】
図６（ｂ）は、非動作のセンサ２２がなく、障害物２２０が検出されず、機能不全が検出されず、高速走行状態であり、自動運転である場合の画像を示す。つまり、高速走行状態である点が図５（ａ）−（ｃ）の場合と異なっている。また、ここでも、図５（ａ）−（ｃ）と同様に、動作しているセンサ２２に対してマーカが切りかえられながら点滅するが、説明を簡易にするために、図面においてそのような動作の説明は省略する。高速走行状態の場合、第３エリア３０４と第７エリア３１２には、３つのマーカがそれぞれ表示されない。そのため、これらのマーカは点滅もしない。つまり、車両アイコン１１０の右側方と左側方のマーカの表示によって、高速走行状態が通知される。ここで、第３エリア３０４と第７エリア３１２は「非通知エリア」に相当する。さらに、高速走行時に、より遠い障害物を検知するようにセンサの能力が高まっているか、切り替わっているときに、自車両の前後に対応する第８エリア３１４、第１エリア３００、第２エリア３０２、および第４エリア３０６、第５エリア３０８、第６エリア３１０が前後方向に狭く長いエリアを表示してもよい。
【００４４】
図７（ａ）−（ｂ）は、生成部７４において生成されるさらに別の画像を示す。図７（ａ）は、図５（ａ）と同様に示され、前述のごとく、自動運転である場合を示す。また、図７（ｂ）は、図７（ａ）と異なって、画像の背景が第２色で表示される。つまり、画像の背景色によって、自動運転であるか、手動運転であるかが通知される。ここで、自動運転である場合、運転者は、自動運転制御装置３０、自動運転制御装置３０の動作状態を監視しておればよく、障害物２２０の方向を気にしなくてもよい。一方、手動運転である場合、センサ２２の検出結果に応じて注意すべき箇所を運転者が監視する必要がある。このように自動運転と手動運転によって、運転者における監視の負荷が適切に低減されるように、運転状態の通知がなされる。図３に戻る。生成部７４は、生成した画像データを出力部７６に出力する。
【００４５】
出力部７６は、生成部７４からの画像データを入力し、図１の画像・音声出力部５１を介して、図２のセンターディスプレイ２ｂに画像を出力する。センターディスプレイ２ｂは、画像を表示する。なお、センターディスプレイ２ｂの代わりにヘッドアップディスプレイ２ａに画像が表示されてもよい。つまり、出力部７６は、マーカの点滅／非表示によってセンサ２２の動作／非動作の情報を出力する。出力部７６は、マーカの点灯色によって障害物２２０の検出／非検出の情報もあわせて出力する。出力部７６は、マーカの点滅／非表示によってセンサ２２の機能不全の情報もあわせて出力する。出力部７６は、マーカを非表示にするエリアを変更することによって車両１００の走行状態の情報もあわせて出力する。出力部７６は、画像の背景色によって車両１００が自動運転しているか、手動運転しているかの情報もあわせて出力する。なお、図１の自動運転制御装置３０は、センサ２２の検出結果をもとに、車両１００の自動運転を制御する。
【００４６】
以上の構成による運転支援装置４０の動作を説明する。図８は、制御部４１による出力手順を示すフローチャートである。監視部７２は動作情報を取得し（Ｓ１０）、生成部７４は非動作エリアを設定する（Ｓ１２）。入力部７０は、検出結果、検出精度を取得し（Ｓ１４）、生成部７４は機能不全エリアを設定する（Ｓ１６）。監視部７２は走行状態を取得し（Ｓ１８）、生成部７４は非通知エリアを設定する（Ｓ２０）。これに続いて、生成部７４は検出エリアと非検出エリアとを設定する（Ｓ２２）。監視部７２は運転状態を取得し（Ｓ２４）、自動運転／手動運転に応じた表示態様を設定する（Ｓ２６）。
【００４７】
本実施の形態によれば、センサの動作／非動作の情報にあわせて、センサの機能不全の情報も出力するので、車両に搭載されるセンサに関する情報をまとめて知らせることで、運転者が適切な対応ができる。また、障害物の検出／非検出の情報も、センサの動作／非動作の情報にあわせて出力するので、車両に搭載されるセンサに関する情報をまとめて知らせることで、センサが動いていないことを障害物が検出されていないことと運転者が誤認識することを防ぐことができる。また、車両の走行状態に応じて検出可能な範囲を変更して出力するので、車両の走行状態とセンサの検出範囲とを対応づけて認識させることで、センサの検出範囲外であることを障害物が検出されていないことと運転者が誤認識することを防ぐことができる。また、センサに関する情報が１つの画面にまとめられて表示されるので、運転者による状況の把握を容易にすることができる。また、自動運転であるか手動運転であるかに応じて背景色を変えるので、自動運転であるか手動運転であるかに応じた注意力の喚起を促す、あるいはそれほど注意しなくてよい情報を提示することの区別を明確にすることで運転者に適切な対応を取ることを容易とさせ、手動運転、自動運転およびそれらの組合せを行っているときの運転者の監視負荷を下げることができる。
【００４８】
以上、本発明に係る実施の形態について図面を参照して詳述してきたが、上述した装置や各処理部の機能は、コンピュータプログラムにより実現されうる。上述した機能をプログラムにより実現するコンピュータは、キーボードやマウス、タッチパッドなどの入力装置、ディスプレイやスピーカなどの出力装置、ＣＰＵ（Ｃｅｎｔｒａｌ  Ｐｒｏｃｅｓｓｉｎｇ  Ｕｎｉｔ）、ＲＯＭ、ＲＡＭ、ハードディスク装置やＳＳＤ（Ｓｏｌｉｄ  Ｓｔａｔｅ  Ｄｒｉｖｅ）などの記憶装置、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）やＵＳＢメモリなどの記録媒体から情報を読み取る読取装置、ネットワークを介して通信を行うネットワークカードなどを備え、各部はバスにより接続される。
【００４９】
また、読取装置は、上記プログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。また、ＣＰＵが、記憶装置に記憶されたプログラムをＲＡＭにコピーし、そのプログラムに含まれる命令をＲＡＭから順次読み出して実行することにより、上記各装置の機能が実現される。
【００５０】
本発明の一態様の概要は、次の通りである。本発明のある態様の運転支援装置は、車両に搭載可能なセンサの動作／非動作（正常の場合や故障の場合）を監視する監視部と、監視部において監視している動作／非動作の情報を出力する出力部とを備える。監視部は、センサが動作している場合に入力したセンサの検出精度をもとに、センサの機能不全を検出し、出力部は、監視部がセンサの機能不全を検出した場合に、動作／非動作の情報にあわせて、機能不全の情報も出力する。
【００５１】
この態様によると、センサの動作／非動作の情報にあわせて、センサの機能不全の情報も出力するので、車両に搭載されるセンサに関する情報をまとめて知らせることができる。
【００５２】
センサの検出結果を入力する入力部をさらに備えてもよい。出力部は、入力部において入力した検出結果に応じた検出／非検出の情報も、動作／非動作の情報にあわせて出力してもよい。この場合、障害物の検出／非検出の情報も、センサの動作／非動作の情報にあわせて出力するので、車両に搭載されるセンサに関する情報をまとめて知らせることができる。
【００５３】
出力部は、センサが検出可能な範囲に対応づけながら情報を出力し、監視部は、車両の走行状態も入力し、出力部は、車両の走行状態に応じて検出可能な範囲を変更して出力してもよい。この場合、車両の走行状態に応じて検出可能な範囲を変更して出力するので、車両の走行状態とセンサの検出範囲とを対応づけて認識させることができる。
【００５４】
出力部は、車両が自動運転しているか、手動運転しているかに応じて出力の態様を変更してもよい。この場合、自動運転であるか手動運転であるかに応じた注意力の喚起を促すことができる。
【００５５】
本発明の別の態様は、自動運転制御装置である。この装置は、車両に搭載可能なセンサの動作／非動作（正常の場合や故障の場合）を監視する監視部と、監視部において監視している動作／非動作の情報を出力する出力部と、センサの検出結果をもとに、車両の自動運転を制御する自動運転制御部とを備える。監視部は、センサが動作している場合に入力したセンサの検出精度をもとに、センサの機能不全を検出し、出力部は、監視部がセンサの機能不全を検出した場合に、動作／非動作の情報にあわせて、機能不全の情報も出力する。
【００５６】
本発明のさらに別の態様は、車両である。この車両は、運転支援装置を備える車両であって、運転支援装置は、車両に搭載可能なセンサの動作／非動作（正常の場合や故障の場合）を監視する監視部と、監視部において監視している動作／非動作の情報を出力する出力部とを備える。監視部は、センサが動作している場合に入力したセンサの検出精度をもとに、センサの機能不全を検出し、出力部は、監視部がセンサの機能不全を検出した場合に、動作／非動作の情報にあわせて、機能不全の情報も出力する。
【００５７】
本発明のさらに別の態様は、運転支援方法である。この方法は、車両に搭載可能なセンサの動作／非動作（正常の場合や故障の場合）を監視するステップと、監視している動作／非動作の情報を出力するステップと、センサが動作している場合に入力したセンサの検出精度をもとに、センサの機能不全を検出するステップと、センサの機能不全を検出した場合に、動作／非動作の情報にあわせて、機能不全の情報も出力するステップと、を備える。
【００５８】
以上、本発明を実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【産業上の利用可能性】
【００５９】
本発明によれば、車両に搭載されるセンサに関する情報をまとめて運転者に知らせることができる。
【符号の説明】
【００６０】
２  報知装置、  ４  入力装置、  ６  スピーカ、  ８  無線装置、  １０  運転操作部、  ２０  検出部、  ３０  自動運転制御装置、  ３１  制御部、  ３２  記憶部、  ３３  Ｉ／Ｏ部、  ４０  運転支援装置、  ４１  制御部、  ４２  記憶部、  ４３  Ｉ／Ｏ部、  ７０  入力部、  ７２  監視部、  ７４  生成部、  ７６  出力部、  １００  車両。
【図１】
2017178267.tif 000003
【図２】
2017178267.tif 000004
【図３】
2017178267.tif 000005
【図４】
2017178267.tif 000006
【図５】
2017178267.tif 000007
【図６】
2017178267.tif 000008
【図７】
2017178267.tif 000009
【図８】
2017178267.tif 000010